(57)【要約】  本発明は、腕時計ケースに腕輪ストランドを取り付けるデバイスに関し、このデバイスは、棒体に取り付けられるように構成しており、腕輪ストランドは、取り付け手段を介して棒体に取り付けられる。本発明によると、取り付け手段は、腕輪ストランドと一体化された支持体によって形成され、引き出し部品が、支持体と連係して支持体を閉じるように構成しており、支持体には、棒体を受けることができるチャネルが形成されており、取り付け手段は、支持体と引き出し部品に配置される一対の磁石を備え、これによって、引き出し部品を支持体に対して保持し、棒体がチャネル内に保持される閉位置から棒体が自由である開位置へと引き出し部品が切り換わることを可能にする。【選択図】  図３
2021529645.tif 000002
【特許請求の範囲】
【請求項１】
腕時計ケース（１）に腕輪ストランド（２）を取り付けるデバイスであって、
当該デバイスは、棒体（４）に取り付けられるように構成しており、
前記腕輪ストランド（２）は、取り付け手段（３）を介して前記棒体に取り付けられ、
前記取り付け手段（３）は、前記腕輪ストランド（２）と一体化された支持体（３０）によって形成され、
引き出し部品（３１）が、前記支持体（３０）と連係して前記支持体を閉じるように構成しており、
前記支持体（３０）には、前記棒体（４）を受けるように構成しているチャネル（３２）が形成されており、
前記取り付け手段（３）は、前記支持体（３０）と前記引き出し部品（３１）に配置される一対の磁石（３００、３１０）を備え、
これによって、前記引き出し部品（３１）を前記支持体（３０）に対して保持し、前記棒体（４）が前記チャネル（３２）内に保持される閉位置から前記棒体（４）が自由である開位置へと前記引き出し部品（３１）が切り換わることを可能にする
ことを特徴とする取り付けデバイス。
【請求項２】
前記支持体（３０）の幅は、前記腕輪ストランド（２）の幅よりも小さい
ことを特徴とする請求項１に記載の取り付けデバイス。
【請求項３】
前記支持体（３０）には、前記引き出し部品をガイドするガイドレール（３３）がある
ことを特徴とする請求項１又は２に記載の取り付けデバイス。
【請求項４】
前記引き出し部品（３１）は、操作ボタン（３４）を備える
ことを特徴とする請求項１〜３のいずれか一項に記載の取り付けデバイス。
【請求項５】
前記腕輪ストランド（２）には、前記操作ボタン（３４）を受けるように構成している空欠部（２１）があり、
前記空欠部（２１）は、前記引き出し部品（３１）が開位置にあるときに止めとしてもはたらく
ことを特徴とする請求項４に記載の取り付けデバイス。
【請求項６】
前記支持体（３０）と前記引き出し部品（３１）は、ステンレス鋼によって作られている
ことを特徴とする請求項１〜５のいずれか一項に記載の取り付けデバイス。
【請求項７】
前記腕輪ストランド（２）は、ゴムのようなフレキシブルなプラスチック材料又は織物によって作られている
ことを特徴とする請求項１〜６のいずれか一項に記載の取り付けデバイス。
【請求項８】
請求項１〜７のいずれか一項に記載の取り付けデバイスを備える
ことを特徴とする腕時計（１）。
【発明の詳細な説明】
【技術分野】
【０００１】
本発明は、腕時計製造又は宝飾品の分野に関する。本発明は、特に、物体、特に、腕時計ケース、に腕輪を取り付けるためのデバイスに関する。
【背景技術】
【０００２】
一般的には、管によって形成される棒体によって腕時計ケースのホーンに皮革や金属で作られる腕輪が取り付けられ、この管に、並進運動可能な２つのピストンと、これらのピストンの間に配置されそれらのピストンを管の外側に押す傾向のある弾性部材が取り付けられる。この棒体は、この目的のために腕輪の一端に形成されたハウジング内に取り付けられ、ケースの２つのホーンにて互いに対向するように形成される非貫通ボア穴内にてピストンが係合する。
【０００３】
この取り付け態様を用いる腕輪を取り付けたり取り外したりするには、ピストンを収縮させて保持するための道具を用いる必要がある。このような操作には、特定のスキルが必要である。また、棒体がホーンの間に導入されるときに、ホーンに形成された穴を見つけて、その穴の中にばねがピンを入れることができるようにする必要がある。
【０００４】
例えば、国際特許文献ＷＯ２０１６１４８８００は、ストランドと、ストランドの一端において一体化された取り付け機構とを備える腕時計の腕輪を開示している。このクラスプ機構は、ストランドの端部にてチャネルを形成する凹状要素と、及び閉じプレートとを備え、この閉じプレートは、プレートがチャネルを覆う第１の位置と、プレートが収縮されていてチャネルの少なくとも一部がプレートによってカバーされないようになっている第２の位置との間で変位するように構成している。
【０００５】
このような取り付けデバイスにおいては部品が多すぎ、このことによって、デバイスの適切な動作を妨げることがあり、また、１つの部品が壊れたときに腕輪を交換する必要性が発生してしまう。
【０００６】
また、このような取り付け態様では腕輪をケースミドル部に良好に連結することができず、ケース／腕輪の連結部において開いた機構や欠陥が視認可能であるようになることがある。
【発明の概要】
【発明が解決しようとする課題】
【０００７】
本発明は、腕時計ケースに腕輪ストランドを取り付けるデバイスであって、棒体に取り付けられるように構成しており、腕輪ストランドが、取り付け手段を介して前記棒体に取り付けられるような取り付けデバイスを提供することによって、これらの課題を解決することを可能にする。
【０００８】
本発明によると、前記取り付け手段は、前記腕輪ストランドと一体化された支持体によって形成され、引き出し部品が、前記支持体と連係して前記支持体を閉じるように構成しており、前記支持体には、前記棒体を受けることができるチャネルが形成されており、前記取り付け手段は、前記支持体と前記引き出し部品に配置される一対の磁石を備え、これによって、前記引き出し部品を前記支持体に対して保持し、前記棒体が前記チャネル内に保持される閉位置から前記棒体が自由である開位置へと前記引き出し部品が切り換わることを可能にする。
【０００９】
本発明の他の好ましい代替形態は、以下の特徴を有する。
支持体の幅は、腕輪ストランドの幅よりも小さい。
支持体は、引き出し部材をガイドするためのガイドレールを備える。
引き出し部品は、操作ボタンを備える。
ストランドには、操作ボタンを受けるように構成している空欠部があり、この空欠部は、引き出し部品が開位置にあるときに止めとしてもはたらく。
支持体と引き出し部品は、ステンレス鋼によって作られている。
腕輪ストランドは、ゴムのようなフレキシブルな材料又は織物によって形成されている。
【００１０】
このような取り付けデバイスは、特に、非磁性である腕時計に備えられることを意図されている。
【図面の簡単な説明】
【００１１】
添付の図面を参照しながら純粋に例としてのみ示される本発明に係る腕輪を取り付けるためのデバイスの実施形態についての以下の詳細な説明を読むことによって、本発明の他の特徴や利点を理解することができるであろう。なお、これに限定されない。
【００１２】
【図１】図１ａ及び１ｂはそれぞれ、本発明に係る取り付けデバイスを備える腕時計ケースについての上方から見た斜視図及び下方から見た斜視図である。
【図２】本発明に係る取り付けデバイスを備える腕時計ケースの断面図である。
【図３】腕時計ケースに備えられる本発明の取り付けデバイスについての分解図である。
【発明を実施するための形態】
【００１３】
図１〜３は、腕時計とともに、本発明の好ましい実施形態に係る腕時計ケース１に腕時計を取り付けるためのデバイスについての詳細な図を示している。腕輪を腕時計ケース１に取り付けるためのデバイスは、腕輪ストランド２と取り付け手段３を備える。腕輪ストランド２は、織物、ゴム、皮革、又は他のプラスチック材料によって作ることができる。
【００１４】
本発明によると、取り付け手段は、腕輪ストランド２と一体化された支持体３０と、支持体３０と連係して支持体３０を閉じるように構成している引き出し部品３１とを備え、この支持体３０には、棒体４を受けることができるチャネル３２が形成されており、取り付け手段は、対の磁石３００、３１０を備え、これらの磁石３００、３１０は、支持体３０と引き出し部品３１に配置されて、引き出し部品３１を支持体３０に対して保持し、棒体４がチャネル３２内にて保持される閉位置から、棒体４が自由である開位置へと、引き出し部品３１を切り換えることを可能にする。
【００１５】
腕輪ストランド２の端部は、取り付け手段３が下方からのみ視認可能であるように取り付け手段３を覆い、したがって、腕時計が着用されているときには取り付け手段３が視認可能ではない。特定の実施形態において、腕輪ストランド２は、取り付け手段３上にオーバーモールドされる。当業者であれば、ストランドを取り付け手段に接着することも考えることができることは明らかである。
【００１６】
同様に、腕輪には、その端部において、チャネル３２の形状に対して相補的な形状の部分２０があり、チャネル３２が隠れる。当業者であれば、チャネル３２を視認可能のままにすることを考えることもあるであろう。
【００１７】
取り付け手段３は、好ましくはステンレス鋼によって作られる、支持体３０を備え、この支持体３０には、棒体４を受け腕輪ストランドを棒体４上に保持するように構成しているチャネル３２が形成されている。
【００１８】
好ましいことに、支持体３０の幅は、腕輪ストランド２の幅よりもわずかに小さく、したがって、腕時計が着用されているときに支持体３０は視認可能ではない。
【００１９】
支持体３０を閉じるために引き出し部品３１が設けられており、この閉じるための引き出し部品もステンレス鋼によって作られている。
【００２０】
引き出し部品３１は、支持体３０の各側方縁部にあるガイドレール３３を用いて支持体３０に取り付けられ、これによって、引き出し部品３１が支持体３０と同一面上に揃い、引き出し部品３１が支持体３０上で変位することができ、ガイドレール３３は、腕輪ストランド２によって覆われた端部から始まり、チャネル３２によって形成される溝にて終わる。
【００２１】
好ましいことに、支持体３０と引き出し部品３１はそれぞれ、一対の磁石３００、３１０を備え、引き出し部品３１がチャネル３２を覆うときの閉位置と、引き出し部品３１が引っ込められチャネル３２を解放するときの開位置を定める。
【００２２】
磁石を受けるように、引き出し部品３１と支持体３０にそれぞれ空欠部が形成される。引き出し部品３１の磁石３１０と、支持体３０の磁石３００はそれぞれ、磁極が逆であり、引き出し部品３１が閉位置にあるときに対向するように配置される。したがって、磁石３００、３１０は、ロックを形成し、また、着用者が引き出し部品３１を操作したときに、引き出し部品３１が閉位置から開位置へと摺動し、着用者が引き出し部品を解放したときに引き出し部品３１が閉位置に戻ることを可能にする。
【００２３】
したがって、デバイスが正常に動作するために、引き出し部品３１と支持体３０は、磁石との相互作用を避けるように磁気の影響を受けない材料によって作られている。
【００２４】
腕輪ストランド２を棒体４から解放するために、ユーザーは、操作ボタン３４を用いて引き出し部品３１を操作し、引き出し部品３１を開位置に変位させる。
【００２５】
このように、これらの磁石によって、好ましいことに、従来技術のデバイスにおいて伝統的に用いられているばねを置き換えることができ、このことによって、用いられる構成要素の数を減らし、構成要素が破損してしまうリスクをなくすことができる。
【００２６】
操作ボタン３４は、着用者によってアクチュエートされ当該デバイスを開くように設計されている。操作ボタン３４は、腕時計が着用されているときに着用者の皮膚に接触している。好ましいことに、ボタン３４は、例えば、ステンレス鋼のような引き出し部品３１と同じ材料によって作られ、この引き出し部品と一体化された要素を形成する。操作ボタン３４の縁部は、研磨されており、これによって、腕時計が着用されるときの快適性を向上させる。
【００２７】
ストランド２は、着用者と接触する側の面上に、ボタンの形状に対して相補的な形状の空欠部２１を備え、この空欠部２１は、引き出し部品が開位置にあるときに操作ボタンを受けるように構成しており、この空欠部２１は、引き出し部品が開位置にあるときに止めとしてはたらき、したがって、開位置へと切り替わる際の引き出し部品の可能なトラベルを定める。
【００２８】
ストランド２を腕時計１に取り付けるために、着用者は、ボタン３４を介して引き出し部品３１を操作し、ボタン３４を引いたり押したりして、引き出し部品３１を摺動させ、チャネル３２にアクセス可能にする。そして、着用者は、棒体４をチャネル３２内に配置し、ボタン３４を解放して、磁石３００、３１０のおかげで引き出し部品３１が閉位置へと戻るようにする。
【００２９】
当然、本発明は、図示している例に限定されず、当業者に明白な様々な変形態様や変更が可能である。
【図１ａ】
2021529645.tif 000003
【図１ｂ】
2021529645.tif 000004
【図２】
2021529645.tif 000005
【図３】
2021529645.tif 000006
【国際調査報告】
2021529645.tif 000007
2021529645.tif 000008
2021529645.tif 000009
2021529645.tif 000010